(57)【要約】【課題】煙感知室内に流入した煙がいつまでも煙感知室内に残存することがない煙感知器を提供する。【解決手段】発光部５１と受光部５２とを内装し複数のラビリンス壁５が周設された煙感知室Ａと、該煙感知室Ａで所定量の煙が検知された場合に発報する報知部とを備えた煙感知器において、煙感知室Ａには報知部へと通じる音孔Ｈ１を設けており、報知部は音孔Ｈ１を通じて煙感知室Ａ内に向かって音を送出するようになしたことで、煙感知室Ａ内に残存した煙を排出することを特徴とする。【選択図】図１
2009053980.tif 000002
【特許請求の範囲】
【請求項１】
発光部と受光部とを内装し複数のラビリンス壁が周設された煙感知室と、該煙感知室で所定量の煙が検知された場合に発報する報知部とを備えた煙感知器において、
煙感知室には報知部へと通じる音孔を設けており、報知部は音孔を通じて煙感知室内に向かって音を送出するようになしたことを特徴とする煙感知器。
【請求項２】
煙感知室は、天井面や壁面等に取り付けられる感知器ボディの上方に突出して備え、報知部は煙感知室の下端に隣接して備えており、煙感知室の下端及び上端に音孔を設けることで、報知部から送出した音が煙感知室内を通りぬけて外部へと放出するようになしたことを特徴とする請求項１記載の煙感知器。
【請求項３】
煙感知室は、発光部と受光部との光軸の交点付近が感煙領域として構成されており、該感煙領域に対応する位置に音孔を設け、報知部は音孔を通じて感煙領域に向かって音を送出するようになしたことを特徴とする請求項１又は２記載の煙感知器。
【請求項４】
報知部からの音が通過する調整孔を設けており、該調整孔は、通過した音が感煙領域を通ることなく外部へと放出されるような位置に設けられていることを特徴とする請求項３記載の煙感知器。
【請求項５】
調整孔は、隣接するラビリスンス壁間、又はラビリンス壁に設けたことを特徴とする請求項４記載の煙感知器。
【発明の詳細な説明】
【技術分野】
【０００１】
本発明は、発光部と受光部とを内装した煙感知室内に煙を流入させて、煙による散乱光を検知して、火災警報を出力する光電式の煙感知器の改良に関する。
【背景技術】
【０００２】
この種の煙感知器としては、天井面等に取り付けられる感知器ボディの上方に、発光部と受光部とを備えた煙感知室を内装した感知部ヘッドを設け、複数のラビリンス壁を周設した煙感知室内に、発光部を設けるとともに、この発光部から発せられた光を直接受光しない位置に受光部を設けて感煙領域を構成し、ラビリンス壁に形成された煙流入口を通って感煙領域に流入して来た煙による散乱光を受光部で受光させ、受光信号が閾値を超えたときに火災発報信号を出力して火災警報を行うものが知られている。
【０００３】
また近時においては、警報音だけでなく、音声メッセージで火災警報を出力させるために、従来のブザーに変えて、感知部ヘッド内にスピーカを収容した煙感知器も開発されている。
【０００４】
下記特許文献１には、外カバー（感知部ヘッド）の２段に絞り込んだ先端部分に、煙感知室を備えた検煙部カバーに続いて、回路基板を組み込み、該回路基板に対し電気的に接続されたスピーカが組み込まれ、感知部ヘッドにスピーカの音孔が形成されたものが開示されている（特許文献１・図７参照）。
【特許文献１】特開２００５−３５２９３２号公報
【発明の開示】
【発明が解決しようとする課題】
【０００５】
ところで、従来の煙感知器においては、煙感知室内の空気を入れ替えるような手段は特に設けられていない。したがって、火災時に煙感知室内に流入した煙がいつまでも煙感知室内から排出されずに、火災が消化されているにも関わらず、警報音が鳴動し続けて騒音となることがあった。
【０００６】
本願発明は、上記背景技術に鑑みて発明されたものであり、その課題は、煙感知室内に流入した煙がいつまでも煙感知室内に残存することがない煙感知器を提供することである。
【課題を解決するための手段】
【０００７】
上記課題を解決するために、本願請求項１記載の発明では、発光部と受光部とを内装し複数のラビリンス壁が周設された煙感知室と、該煙感知室で所定量の煙が検知された場合に発報する報知部とを備えた煙感知器において、煙感知室には報知部へと通じる音孔を設けており、報知部は音孔を通じて煙感知室内に向かって音を送出するようになしたことを特徴としている。
【０００８】
また、本願請求項２記載の発明では、上記請求項１記載の煙感知器において、煙感知室は、天井面や壁面等に取り付けられる感知器ボディの上方に突出して備え、報知部は煙感知室の下端に隣接して備えており、煙感知室の下端及び上端に音孔を設けることで、報知部から送出した音が煙感知室内を通りぬけて外部へと放出するようになしたことを特徴としている。
【０００９】
また、本願請求項３記載の発明では、上記請求項１又は２記載の煙感知器において、煙感知室は、発光部と受光部との光軸の交点付近が感煙領域として構成されており、該感煙領域に対応する位置に音孔を設け、報知部は音孔を通じて感煙領域に向かって音を送出するようになしたことを特徴としている。
【００１０】
また、本願請求項４記載の発明では、上記請求項３記載の煙感知器において、報知部からの音が通過する調整孔を設けており、該調整孔は、通過した音が感煙領域を通ることなく外部へと放出されるような位置に設けられていることを特徴としている。
【００１１】
また、本願請求項５記載の発明では、上記請求項１記載の煙感知器において、調整孔は、隣接するラビリスンス壁間、又はラビリンス壁に設けたことを特徴としている。
【発明の効果】
【００１２】
本願請求項１記載の煙感知器においては、報知部は音孔を通じて煙感知室内に向かって音を送出するため、煙感知室内に残存した煙を報知部からの音圧により外部へと排出することができる。したがって、煙感知室内に流入した煙がいつまでも煙感知室内に残存することがなくなり、騒音を防止することができる。
【００１３】
また、本願請求項２記載の煙感知器においては、煙感知室の下端及び上端に音孔を設けて煙感知室の下端に隣接して報知部を備えたため、報知部を煙感知室の側方に設ける必要がなくコンパクトで美観性の優れた煙感知器となる。更に、報知部を煙感知室の下端に設けることで、煙感知室の上端に設ける場合と比較して、感知器ボディからの突出部分を少なくすることができ、よりコンパクトな形状の煙感知器となる。
【００１４】
また、本願請求項３記載の煙感知器においては、感煙領域に対応する位置に音孔を設けることで感煙領域に残存する煙を排出することができるため、より効果的に煙の排出を行うことができる。
【００１５】
また、本願請求項４及び５記載の煙感知器においては、調整孔を設けることで感煙領域を通過する音圧を調整することができるため、必要以上に感煙領域に向かって音が送出されることで煙感知の感度が低下するのを防ぐことができる。
【発明を実施するための最良の形態】
【００１６】
図１〜３は、一実施形態である煙感知器を示している。この煙感知器は、煙を感知することで火災警報を行うものであり、図３に示すように、複数のラビリンス壁５を周設した煙感知室Ａ内に、発光部５１を設けると共に、この発光部５１からの光りを直接受光しない位置に受光部５２を設けて感煙領域Ｂを構成し、複数のラビリンス壁５間の空隙から感煙領域Ｂに流入してきた煙の散乱光を受光部５２で受光し、この受光量を受光信号に変換して、受光信号が閾値を超えたときに火災警報を行うように構成している。
【００１７】
以下、この煙感知器の具体的な構造を記す。図２に示すように、この煙感知器は、天井面等に取り付けられる感知器ボディ１と、感知器ボディ１に収容され、受光信号を監視して閾値を超えたときに火災発報信号を出力するマイコン等の回路部品が実装される回路基板２と、煙感知室Ａが設けられ、発光部５１、受光部５２等の光学系部品とラビリンス壁５とを備えた光学基台４と、煙感知室Ａの内部に虫等が侵入するのを防止する防虫カバー６と、火災を検知する警報音を鳴動するスピーカ３（報知部）と、保護カバー７とで構成される。なお、図２の分解斜視図は天地が逆になっており、紙面下方側が天井面等に取り付けられる側となるが、ここでは、紙面上方を上方向、紙面下方を下方向として説明する。
【００１８】
感知器ボディ１は、回路基板２及びスピーカ３が収容され、光学基台４、防虫カバー６が収容された保護カバー７が開口から突出した状態で組み付けられ、これらが一体に組み合わされて煙感知器として天井面等に取り付けられる。
【００１９】
光学基台４は、略円板状の底板４１と、底板４１の周縁に形成された周壁４２とを備え、底板４１の上面には発光部５１及び受光部５２が設けられている。また、光学基台４には、周壁４２に沿うようにして複数のラビリンス壁５が設けられており、ラビリンス壁５が側壁となり、光学基台４が下端面となることで煙感知室Ａが形成されている。そして、図１に示すように、煙感知室Ａの下端、つまり光学基台４の下端に隣接してスピーカ３が配置されている。ここで、光学基台４の底板４１には複数の音孔Ｈ１及び調整孔Ｈ２が設けられており、スピーカ３から送出される報知音は、この音孔Ｈ１及び調整孔Ｈ２を通過して外部へと放出される。なお、この火災感知器では、報知部として音声警報を行うスピーカ３を用いているが、スピーカ３の代わりにブザーを用いてもよい。
【００２０】
防虫カバー６は、虫や埃等が煙感知室Ａ内に入らないように防虫網を有するものであり、その下端部が光学基台４の周壁４２と嵌合することで、煙感知室Ａの上端面を構成している。そして、防虫カバー６の上端面にも複数の音孔Ｈ１及び調整孔Ｈ２が設けられている。
【００２１】
保護カバー７は有底円筒状に形成され、側面には開口部７１が形成されており、外部の煙は、この開口部７１を経て防虫カバー６における防虫網の開口を通って煙感知室Ａ内に侵入するようになっている。また、保護カバー７の上面にはスピーカ３の警報音を外部に流すための挿通孔７２が複数設けられている。
【００２２】
次に図３に基づいて煙感知室Ａの内部構造について説明する。光学基台４上には、発光部５１及び受光部５２の光学系部品と、複数のラビリンス壁５及び遮光壁５３を備えている。
【００２３】
発光部５１には発光ダイオードが収容されており、発光部５１の先端から煙感知室Ａの中心側に向かって光を出射している。受光部５２にはフォトダイオードが収容されており、受光部５２における煙感知室Ａの中心側の先端から光を受光している。そして、発光部５１及び受光部５２の光軸Ｃが交わる周辺は感煙領域Ｂとなり、この領域に煙が流入すると、発光部５１からの出射光が煙で乱反射し、受光部５２で受光されるようになる。遮光壁５３は、発光部５１及び受光部５２の先端に介在して設置されており、発光部５１からの出射光が直接受光部５２で受光されるのを防いでいる。
【００２４】
また、煙感知室Ａの下端面に相当する光学基台４の底板４１には、複数の音孔Ｈ１及び調整孔Ｈ２が設けられており、光学基台４の直下に設けられたスピーカ３からの報知音は、この音孔Ｈ１及び調整孔Ｈ２から煙感知室Ａ内へと流れる。そして、煙感知室Ａ内に流れた報知音は、煙感知室Ａの上端である防虫カバー６の音孔Ｈ１及び調整孔Ｈ２を通り、保護カバー７の挿通孔７２から外部へと放出される。
【００２５】
ここで、音孔Ｈ１は感煙領域Ｂに対応する位置に複数設けられており、調整孔Ｈ２は隣接するラビリスンス壁間に複数設けられている。したがって、音孔Ｈ１を通る報知音は感煙領域Ｂを通過するが、調整孔Ｈ２を通る報知音は感煙領域Ｂを通過することなく外部へ放出される。なお、調整孔Ｈ２は、ラビリンス壁５を貫通するようにして設けてもよい。
【００２６】
次に、この火災感知器の煙感知時における動作について説明する。火災等により煙感知室Ａ内に煙が流入し所定の閾値を超える煙量を検知した場合、煙感知器は、スピーカ３から報知音を鳴動する。この時、音孔Ｈ１を通る報知音の音圧により感煙領域Ｂに残存した煙が煙感知室Ａ外に排出される。この煙の排出は、スピーカ３が鳴動する限り作用し続けるため、火災の鎮火等により煙の発生が無くなることで、感煙領域Ｂに残存する煙はほとんど排出される。そして、感煙領域Ｂの煙濃度が低下して煙検知量が閾値を下回ると、火災感知器は、スピーカ３の鳴動を停止し通常状態に復旧する。
【００２７】
このように、スピーカ３からの報知音により感煙領域Ｂの煙が排出されることで、火災感知器を早く復旧することができ、無駄な報知音の鳴動（騒音）を防止することができる。また、スピーカ３からの報知音により煙排出を行う構成とすることで、煙検知時（煙が流入した時）にのみ自動的に煙排出を行うことができる。
【００２８】
ここで、調整孔Ｈ２を通る報知音は感煙領域Ｂの煙排出には寄与しないが、調整孔Ｈ２を設けることで、感煙領域Ｂに対する音圧を調整することができ、必要以上に感煙領域Ｂに向かって音が送出されることで煙感知の感度が低下するのを防ぐことができる。また、調整孔Ｈ２を煙感知室Ａ内に設けることで、スピーカ３からの音は全て煙感知室Ａを通って外部へと放出されるため、報知音を発散させることがなく放出することができる。
【００２９】
また、この火災感知器においては、煙感知室Ａの下端（光学基台４）及び上端（防虫カバー６）に音孔Ｈ１及び調整孔Ｈ２を設けて煙感知室Ａの下端に隣接してスピーカ３を備えたため、スピーカ３を煙感知室Ａの側方に設ける必要がなくコンパクトで美観性の優れた煙感知器となる。更に、スピーカ３を煙感知室Ａの下端に設けることで、煙感知室Ａの上端に設ける場合と比較して、感知器ボディ１からの突出部分を少なくすることができ、よりコンパクトな形状の煙感知器となる。
【００３０】
なお、本実施形態において、光学基台４の底板４１に設けられた音孔Ｈ１は、感煙領域Ｂに対応する位置にのみ設けられているが、この位置に限定されることはなく、底板４１における任意の位置に音孔Ｈ１を設けることができる。そして、調整孔Ｈ２においては、光学基台４の底板４１のみならず、図４に示すように、通過した報知音が煙感知室Ａを通過することなく外部へ放出される位置に設けてもよい。
【図面の簡単な説明】
【００３１】
【図１】本願発明の一実施形態である煙感知器を示す横断面図。
【図２】同煙感知器の分解斜視図。
【図３】同煙感知器の煙検知室内を示す上断面図。
【図４】本願発明の別の実施形態である煙感知器の横断面図。
【符号の説明】
【００３２】
１    感知器ボディ
３    スピーカ（報知部）
５    ラビリンス壁
５１  発光部
５２  受光部
Ａ    煙感知室
Ｂ    感煙領域
Ｈ１  音孔
Ｈ２  調整孔
Ｃ    光軸
【図１】
2009053980.tif 000003
【図２】
2009053980.tif 000004
【図３】
2009053980.tif 000005
【図４】
2009053980.tif 000006